(57)【特許請求の範囲】
【請求項１】
カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジからの引き出し動作開始の直前または直後に、前記フィルム保持装置を前記画像入力装置から取り外し禁止とすることを特徴とするスキャナ装置。
【請求項２】
カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジへの収納動作完了の直前または直後に、前記フィルム保持装置を前記画像入力装置から取り外し可能とすることを特徴とするスキャナ装置。
【請求項３】
前記フィルム保持装置を前記フィルム画像入力装置から取り外す外部指示がされた場合に、前記フィルムが前記カートリッジから引き出されていることを警告する警告手段を具備することを特徴とする請求項１、２に記載のスキャナ装置。
【請求項４】
カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジからの引き出し動作開始の直前または直後に、前記カートリッジを前記フィルム保持装置から取り外し禁止とすることを特徴とするスキャナ装置。
【請求項５】
カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジへの収納動作完了の直前または直後に、前記カートリッジを前記フィルム保持装置から取り外し可能とすることを特徴とするスキャナ装置。
【請求項６】
カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記カートリッジの前記フィルム保持装置からの取り出し動作の直前または直後に、前記フィルム保持装置を前記画像入力装置から取り外し可能とすることを特徴とするスキャナ装置。
【発明の詳細な説明】
【０００１】
【発明の属する技術分野】
本発明は、スキャナ装置、詳しくは、照明用光源にて照明されたフィルムの画像を読み取り、その画像データを出力するフィルム画像入力装置と、フィルムカートリッジが装填可能なフィルム保持装置とからなるスキャナ装置に関する。
【０００２】
【従来の技術】
従来、フィルムカートリッジに入っているフィルムとストリップフィルム、ピースフィルム等の複数種類のフィルムの画像を入力するスキャナ装置として提案されたものに特開平５−１４５８３８号公報に開示されたフィルムプレーヤがある。
この装置においては、カートリッジに収納されたフィルムとピースフィルムの双方を挿入することが可能でカートリッジに収納されたフィルムを所定の読みとり位置へ搬送するためのギアからなる機構部と、ピースフィルムを挿入口から挿入し、同じく所定の読み込み位置に搬送するための送りローラからなる機構部とを有しており、所定の読み取り位置に搬送されたフィルムを照明光源にて照明し、このフィルム画像をＣＣＤで読み取るものである。
【０００３】
上述のフィルムプレーヤに対して、画像入力装置とそれに着脱自在で、各々の種類のフィルムに対応したフィルム保持装置とからなるスキャナ装置が考えられる。このような装置では、装置の大型化、複雑化を招くことなく、比較的簡単な構成で、複数種のフィルムに対応可能なスキャナ装置を提供することが可能である。
【０００４】
【発明が解決しようとする課題】
しかしながら、上述のように単に画像入力装置に対してフィルム保持装置を着脱自在に構成したスキャナ装置では、操作中であって、フィルム保持装置内のフィルムカートリッジからフィルムが引き出されている状態であるにも関わらずフィルム保持装置を装置本体から取り外してしまうことがあり得る。このようなとき、フィルムにゴミを付着させたり、傷を付けたりするおそれがあり、使い勝手上、非常に都合がわるい。
【０００５】
本発明は、上述の不具合に鑑み、不用意な操作によって、カートリッジフィルムの走行や巻き戻しが不完全になることを防止することが可能であり、また、装着されたフィルムを汚したり、傷付けたりすることが防止でき、フィルムを常に安全な状態に保持することができるスキャナ装置を提供することを目的とする。
【０００６】
【課題を解決するための手段】
本発明の第１のスキャナ装置は、カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジからの引き出し動作開始の直前または直後に、前記フィルム保持装置を前記画像入力装置から取り外し禁止とする。
【０００７】
本発明の第２のスキャナ装置は、カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジへの収納動作完了の直前または直後に、前記フィルム保持装置を前記画像入力装置から取り外し可能とする。
【０００８】
本発明の第３のスキャナ装置は、前記第１，２のスキャナ装置において、前記フィルム保持装置を前記フィルム画像入力装置から取り外す外部指示がされた場合に、前記フィルムが前記カートリッジから引き出されていることを警告手段により警告する。
【０００９】
本発明の第４のスキャナ装置は、カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジからの引き出し動作開始の直前または直後に、前記カートリッジを前記フィルム保持装置から取り外し禁止とする。
【００１０】
本発明の第５のスキャナ装置は、カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記フィルムの前記カートリッジへの収納動作完了の直前または直後に、前記カートリッジを前記フィルム保持装置から取り外し可能とする。
【００１１】
本発明の第６のスキャナ装置は、カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、前記カートリッジの前記フィルム保持装置からの取り出し動作の直前または直後に、前記フィルム保持装置を前記画像入力装置から取り外し可能とする。
【００１２】
【発明の実施の形態】
以下、本発明の実施の形態について、図を用いて説明する。
図１は、本発明の第１の実施の形態であるスキャナ装置の概要を示すブロック構成図である。
本形態のスキャナ装置は、主に撮像素子を内蔵し、フィルム画像を画像データに変換するフィルム画像入力装置１０１と、上記フィルム画像入力装置１０１に着脱自在なフィルムカートリッジ用フィルム保持装置１０２と、フィルム保持装置１０２のフィルム画像入力装置１０１からの取り外しを規制し、さらに、フィルム保持装置１０２に配設されるカートリッジ装填用カートリッジ蓋５２の開放を規制する規制手段１０４と、フィルム保持装置１０２をフィルム画像入力装置１０１から取り外す指示をスイッチ等を介して与えたとき、フィルムが引き出されている状態にあるときには警告を発する警告手段１０５とで構成されている。
【００１３】
そして、本スキャナ装置においては、規制手段１０４によって、フィルム保持装置１０２に装填されたフィルムカートリッジからフィルムが引き出されているかどうかが判別され、引き出されている場合、フィルム保持装置１０２がフィルム画像入力装置から外せないように規制され、また、フィルム保持装置１０２のカートリッジ蓋５２の開放が規制される。さらに、フィルムが引き出されている状態で、イジェクトスイッチを介してフィルム保持装置１０２を取り外す指示を行うと警告手段１０５により警告が発せられ、使用者に注意を喚起する。
【００１４】
以下、本形態のスキャナ装置について詳細に説明する。
本形態のスキャナ装置は、フィルム画像入力装置１０１と、カートリッジフィルム保持装置１０２、または、３５ｍｍフィルム保持装置１０６とで構成される。◎
なお、上記カートリッジフィルム保持装置１０２は、後述する図５の斜視図に示すようなフィルムカートリッジ１１０が装填可能なフィルム保持装置である。また、上記３５ｍｍフィルム保持装置１０６は、後述する図７の斜視図に示すような３５ｍｍフィルムのピースフィルム１２２やストリップフィルム１２７を挿入したフィルムキャリア１２０，１２５が装着可能なフィルム保持装置である。
【００１５】
まず、フィルム画像入力装置１０１の機構部の構成から説明する。◎
図２は、該フィルム画像入力装置１０１の外観斜視図であり、該フィルム画像入力装置１０１の本体１０１ａには、上述のカートリッジフィルム保持装置１０２、または、３５ｍｍフィルム保持装置１０６が装着可能な溝部２が設けられている。
そして、上記本体１０１ａ内にはフレーム１が配設されており、該フレーム１には互いに平行状態で回転自在に支持されたネジシャフト１６と、固定支持されたガイドシャフト１７とが後述する撮影レンズ光軸Ｏと直交する水平方向に沿って配設されている。
【００１６】
レンズＣＣＤ保持部材７は、上記ネジシャフト１６の螺旋溝に螺合し、ガイドシャフト１７には摺動自在に支持されている。そして、上記ネジシャフト１６は、ステッピングモータ１８によりモータピニオン１９とギヤ２０を介して回転駆動される。
【００１７】
したがって、ネジシャフト１６をステッピングモータ１８により回転駆動させると、レンズＣＣＤ保持部材７がネジシャフト１６に沿って移動する。なお、この移動方向は、リニアＣＣＤ９ａの画像ライン読み取りの主走査方向に対して直交する副走査方向とする。
また、レンズＣＣＤ保持部材７には、リニアＣＣＤ９ａを保持するＣＣＤユニット９と、照明光によるフィルム画像を該リニアＣＣＤ９ａに結像させるための撮影レンズ８とが直接支持されており、さらに、該保持部材７の下部を通り、撮影レンズ８に対向した位置にはフィルム照明用の光源となる蛍光灯３が一体的に支持されている。
【００１８】
なお、上記蛍光灯３は、スペース効率を上げるために、コの字型に折り曲がった構造を有している。そして、蛍光灯保持部材４によってＶ字の溝をもつ反射傘部材５に押し付けられて保持されている。その蛍光灯３の長手軸方向は、リニアＣＣＤ９ａの主走査方向と平行とし、蛍光灯３と撮影レンズ８とリニアＣＣＤ９ａとは光軸Ｏに沿った直線上に配設される。
【００１９】
そこで、レンズＣＣＤ保持部材７をネジシャフト１６に沿って移動させると、蛍光灯３，撮影レンズ８，リニアＣＣＤ９ａがともに、互いの位置関係を保持したままの状態でネジシャフト１６の軸方向に平行移動し、副走査が行われる。
【００２０】
レンズＣＣＤ保持部材７の基準位置としての初期位置、及び終端位置は、不図示の光学センサによって検出され、その基準位置と、ステッピングモータ１８の駆動パルス数から、レンズＣＣＤ保持部材７の副走査方向の絶対移動位置が検出される。この絶対移動位置検出により、レンズＣＣＤ保持部材７がフレーム１の壁面等に衝突するのが防止される。
【００２１】
また、上記基準位置からの駆動パルス数は、フィルムの画面上の走査位置を示す走査位置情報として記憶手段に記憶しておき、フィルムの画像データの取り込み、または、ＰＣ（パーソナルコンピュータ）へのデータ転送のタイミング制御データとして用いられる。なお、上記記憶手段は、通常、フィルム保持装置１０２に特有の情報であるので、フィルム保持装置１０２内に内蔵されている。
【００２２】
リニアＣＣＤ９ａの出力ラインは、フレキシブルプリント基板１４を介してフレーム１の下部に配設されるメイン基板１５にコネクタを介して接続されている。
【００２３】
上記画像入力装置１０１に内蔵されるその他の構成要素としては、電源オンオフのためのパワー（ＰＯＷＥＲ）スイッチ２１と、フィルム装填状態でフィルム保持装置を取り出す必要があるとき、その取り出しを指示するためのイジェクト（ＥＪＥＣＴ）スイッチ２２が本体１０１ａ上面に配設されている。また、本体１０１ａの裏面には、図示しないＰＣ（パーソナルコンピュータ）へのデータ転送のためのコネクタ２３が配設されている。これらのスイッチ，コネクタ接続用リード線はメイン基板１５に接続される。
【００２４】
また、本体１０１ａの溝部２の底部にはフィルム保持装置との電気接続用雌コネクタ２８が配設されている。この雌コネクタ２８はメイン基板１５上に設けられた端子２８ａ〜２８ｓの接点群で構成されている。この雌コネクタ２８は、フィルム保持装置１０２、または、１０６が装着された時にフィルム保持装置側雄コネクタ８８，９７（図５，７参照）が接続されるようになっている。
【００２５】
さらに、上記画像入力装置１０１には本体溝２の内面部にフィルム保持装置１０２，１０６の位置決め作用を行い、取り外しを規制するための係合手段としてのロックピン２４が本体１０１ａに対して出没自在に配設されている。該ロックピン２４は、その後部を板バネ２５により前方に、すなわち、突出する方向に付勢されている。また、ロックピン２４に対応した反対側には、位置決めピン２７が出没自在に配設されている、この位置決めピン２７も同様にその後部を図示しない板バネにより前方に付勢されている。
【００２６】
上記ロックピン２４と板バネ２５の後方には、後述する本装置制御用のＲＩＳＣ２０１からの制御信号に基づき、上記ロックピン２４の後退を規制するロック状態を制御する規制手段としてのロック機構２６が配設されている。
【００２７】
上記ロック機構２６は、図３の斜視図に示すようにコイル３１と鉄心３２を有するプランジャ３０と、鉄心３２を下方向に付勢する第１バネ３３と、鉄心３２が上方に駆動されたとき、上記第１バネ３３の付勢力に打ち勝って鉄心３２を上方位置に吸着保持する永久磁石３４と、本体に回動自在に支持されたロックレバー３５と、ロックレバー３５を時計回りに付勢し、その付勢回動力が上記第１バネ３３による付勢回動力よりも小さい回動力を与える第２バネ３６とから構成されている。
【００２８】
上記ロック機構２６において、コイル３１に端子Ａ側からＡ（バー）側へ電流を流すと、第１バネ３３に打ち勝ってプランジャ３０の鉄心３２が上方に駆動され、磁石３４に吸着される。ロックレバー３５は時計回りに位置Ｐａまで回動し、ロックピン２４の後退が規制されたロック状態となる。この状態では、ロックピン２４は、図５に示すフィルム保持装置１０２の凹部５４との嵌入状態が維持され、装着されているフィルム保持装置は画像入力装置１０１から取り外すことができない。その後、上記電流をオフしても上述の状態は保持される。
【００２９】
また、コイル３１に端子Ａ（バー）側からＡ側へ電流を流すと、磁石３４の吸引力に打ち勝って鉄心３２が下方に駆動される。ロックレバー３５は反時計回りに位置Ｐｂまで回動し、ロックピン２４の後退を規制しないロック解放状態となる。この状態では、ロックピン２４は、フィルム保持装置１０２の凹部５４とから退出可能で、装着されているフィルム保持装置は画像入力装置１０１から取り外すことが可能である。なお、その後、上記電流をオフしても上述の状態は保持される。
【００３０】
なお、上記ロック機構２６の変形例として駆動源にモータを利用したものも適用可能である。この変形例のロック機構４１においては、図４のロック機構の斜視図に示すように、出没自在なロックピン２４と板バネ２５の後部にガイドピン４５にスライド自在に支持されたラック４４が配設され、そのラック４４は、モータ４２の正逆転動作によりピニオン４３を介して位置Ｐｂ、または、位置Ｐａへ直進駆動される。ラック４４が位置Ｐｂにあるときは、ロックピン２４はその後退動作は規制されないロック解除状態となり、位置Ｐａにあるときは、その後退動作が規制されるロック状態となる。
【００３１】
次に、上記画像入力装置１０１に装着可能なカートリッジフィルム保持装置１０２の構成について説明する。
図５は、カートリッジフィルム保持装置１０２の外観を示す斜視図であり、本装置１０２は、その本体１０２ａの外形が図２の画像入力装置１０１の溝２に嵌入可能な形状を有している。そして、本体１０２ａ内にはフィルムカートリッジ１１０の収納室５１が設けられ、その収納室５１のカートリッジ挿入口は、本体１０２ａに回動自在に支持されたカートリッジ室蓋５２により開閉される。
【００３２】
カートリッジ室蓋５２は、蓋開放ツマミ５７を操作することによって開放されるが、該蓋開放ツマミ５７は、カートリッジ１１０からフィルムが引き出されている状態のとき、後述する図６の斜視図に示す規制手段としての蓋ロック機構７９により蓋を開放するためのＦ方向のスライド操作が規制され、該蓋５２を開くことができないようになっている。
【００３３】
カートリッジ室蓋５２の開閉部には閉じ動作に連動する蓋スイッチ８５が内蔵されており、蓋の開閉に応じて該スイッチのオン／オフが行われる。操作者はカートリッジ１１０を装填後、カートリッジ室蓋５２を閉めることによってオートロードを行うことができる。
【００３４】
装置本体１０２ａ上面には、カートリッジ１１０からローディングされたフィルム１１１をカートリッジ１１０内に巻き戻す指示を与えるリワインド（ＲＥＷＩＮＤ）スイッチ８４の操作ツマミが配設されている。
そして、装置本体１０２ａの中央部には照明用開口部５３が設けられている。この位置に給送されたフィルム１１１のコマの画像が、前記画像入力装置１０１によって読み取られる。
【００３５】
また、装置本体１０２ａの前面部にはフィルム画像入力装置１０１の溝部２に装着した状態で該画像入力装置１０１側の位置決めピン２７が嵌入する凹部５５と、該画像入力装置１０１側のロックピン２４が嵌入する凹部５４が配設されている。それらの凹部５５，５４が上記ピンに嵌合することにより、光軸Ｏに垂直な面内でのフィルム保持装置１０２の位置決めがなされる。
【００３６】
凹部５４側に嵌合するロックピン２４は、画像入力装置１０１側のＲＩＳＣ２０１で電気的に制御される前記ロック機構２６により凹部５４に嵌入した状態が保持されるロック状態と、後退可能なロック解除状態とに設定できる。そして、ロックピン２４が凹部５４に嵌入し、ロック状態にあるときにはフィルム保持装置１０２をフィルム画像入力装置１０１から外すことができないようになっている。
【００３７】
装置本体１０２ａの底面部には溝部２に装着した時にフィルム画像入力装置１０１側の雌コネクタ２８の端子２８ａ〜２８ｓに接触可能な各々バネ付勢された金属接続ピン群を有する雄コネクタ８８が設けられている。
上記コネクタ８８の接点群を通じて、カートリッジフィルム保持装置１０２は、フィルム画像入力装置から、装置駆動用電力、および、フィルム駆動用制御信号を受ける。逆に、上記コネクタ８８の接点を通じて、フィルム画像入力装置はカートリッジフィルム保持装置１０２からフィルム給送量情報、フィルム情報、フィルムカートリッジ情報、カートリッジフィルム保持装置内のＥＥＰＲＯＭ（ＥＬＥＣＴＲＩＣＡＬＬＹ  ＥＲＡＳＡＢＬＥ  ＰＲＯＧＲＡＭＭＡＢＬＥ  ＲＥＡＤ  ＯＮＬＹ  ＭＥＭＯＲＹ  ）情報、カートリッジフィルム保持装置内蔵の各操作スイッチの情報等を受け取る。
【００３８】
さらに、本フィルム保持装置１０２には、カートリッジ１１０から引き出されたフィルム１１１を巻き取るための巻き取りスプール５９が配設されている。そして、該スプール５９内にはフィルム１１１の巻き上げ、巻き戻しを行うためのモータ５８が内蔵されている。
【００３９】
該モータ５８の出力軸に固定されたモータピニオン６１の回転は、一方のギヤ列を構成するギヤ６２、６３、６４を介してスプール５９の下部に設けられたギア部６０に伝達される。上記モータピニオン６１の回転は、他の一方のギヤ列を構成するギヤ６５，６６，６７（破線で示す経路に配設されるギヤ列），６８を介してカートリッジ室５１の下部に配設されている駆動軸６９に設けられたギヤ６９ａに伝達される。なお、上記駆動軸６９は、カートリッジスプール軸（不図示）に係合し、フィルムオートローディング時のフィルム送り出しを行う軸である。、
また、フィルムの走行経路中にはフィルム１１１の送行量を検出するための回動自在なフィルム従動ローラ８６が配設されている。この従動ローラ８６は、フィルム１１１の走行に合わせて回転するロッド部材である。
フィルム従動ローラ８６にはラジアル方向に細いスリットが設けられたＰＩスリット円板８７が固着されており、このスリット円板８７の回転により、本体１０２ａ側に取り付けられていフィルム走行量検出用ＰＩ（フォトインタラプタ）８０の遮光／非遮光を繰り返す。該ＰＩ８０の出力波形パルスをカウントすれば、フィルム１１１の走行量を検出することができる。
【００４０】
また、フィルム走行経路上にはフィルムの移動位置を検出するための、フィルムパーフォレーション穴検出用ＰＲ（フォトリフレクタ）８１が配設されている。このＰＲ８１の出力信号により、フィルム１１１の画面コマを開口部５３に位置させるためのフィルムパーフォレーション位置の検出が行われる。
【００４１】
同様にフィルム走行経路上にはフィルム１１１に磁気記録されている撮影情報を検出するための磁気ヘッド８３も配設されている。
【００４２】
また、カートリッジ室５１の下部にはフィルムカートリッジ１１０のフィルム情報を検出するためのフィルムカートリッジ情報検出用ＰＲ８２が配設されている。
なお、上記モータやセンサ群は、図示しないフレキシブルプリント基板を介して前記雄コネクタ８８の接点群に接続されている。
【００４３】
ここで、蓋開放ツマミ５７のＦ方向の蓋開放操作を規制するための前記蓋ロック機構７９の構造について、図６の斜視図を用いて説明すると、上記蓋ロック機構７９は、コイル７１と鉄心７２を有するプランジャ７０と、鉄心７２をＧ方向に付勢するバネ７３と、鉄心７２がＨ方向に駆動されたとき、鉄心７２を上記バネ７３の付勢力に打ち勝ってＨ方向の終端位置Ｐｄに保持する永久磁石７４とから構成されている。
【００４４】
なお、蓋開放ツマミ５７は、常時、バネ７５によりＥ方向に付勢されており、該ツマミ５７の係止部５７ａが蓋５２の切り欠き５２ａに嵌入し、蓋５２の閉状態を保持する。
【００４５】
上記蓋ロック機構７９において、コイル７１端子Ｂ側からＢ（バー）側へ電流を流すと、バネ７３に打ち勝って鉄心７２がＨ方向に駆動され、磁石７４に吸着され、ロック位置Ｐｄに保持される。その後、電流をオフしても上述の状態は保持される。この状態にあるとき、蓋５２が閉じられていると、上記蓋開放ツマミ５７が、鉄心７２によりＦ方向への移動が規制されたロック状態となっており、蓋５２は開放できない。
【００４６】
また、コイル７１端子Ｂ（バー）側からＢ側へ電流を流すと、磁石７４の吸引力に打ち勝って鉄心７２がＧ方向に駆動され、ロック解放位置Ｐｃまで移動する。この状態では、蓋開放ツマミ５７は、鉄心７２に規制されることなく、Ｆ方向移動可能で、該ツマミ５７の係止突起５７ａが蓋５２の切り欠き５２ａからＪ方向に外れると蓋５２を開放することができる。
【００４７】
次に、上記画像入力装置１０１に装着可能な３５ｍｍフィルム保持装置１０６の構造について説明する。
この３５ｍｍフィルム保持装置１０６は、図７の外観の斜視図に示すように、その本体１０６ａがフィルム画像入力装置１０１の溝２に嵌入し、装着可能である。その装着状態で画像入力装置側のロックピン２４と位置決めピン２７が嵌入可能な凹部９１と９２が配設され、そのピン２４，２７の嵌入によりフィルム保持装置装着時の位置決めがなされる。
【００４８】
また、フィルム保持装置１０６の本体１０６ａには、カットされた３５ｍｍフィルムのピースフィルム１２２用のスライド枠１２３が挿入可能なスライドフィルムキャリア１２０、または、３５ｍｍフィルムのストリップフィルム１２７用のストリップフィルムキャリア１２５のいづれかを選択して装着可能なスリット９３が配設されている。さらに、上記キャリア１２０，１２５のコマ位置決めのために凹部１２１，１２６と係合するピン９４が板バネ９５によって進退可能に支持されている。
【００４９】
また、本体１０６ａの底面部にはフィルム画像入力装置の溝部２に装着した時に画像入力装置側の雌コネクタ２８の電気接点群に接触する各バネ付勢力を受けた雄コネクタ９７の接点群が設けられている。
【００５０】
なお、上記３５ｍｍフィルム保持装置１０６にはフィルムキャリア１２０、１２５を移動させるフィルム駆動手段を特に設けておらず、フィルムキャリアの移動は手動で行うことになっている。このように構成することによりフィルム保持装置１０６を安価に製作可能としている。しかし、前述したカートリッジフィルム保持装置１０２に設けられたようなフィルム駆動手段とフィルム移動量検出手段等を付加すれば自動的にフィルムキャリアを移動可能とすることはできる。
【００５１】
次に、本形態の上記フィルム画像入力装置１０１とカートリッジフィルム保持装置１０２と電気回路について、図８の電気回路ブロック図により説明する。  フィルム画像入力装置１０１側には、装置全体をコントロールする縮小命令セット系コンピュータであるＲＩＳＣ（  ＲＥＤＵＣＥＤ  ＩＮＳＴＲＵＣＴＩＯＮ  ＳＥＴ  ＣＯＭＰＵＴＥＲ  ）２０１と、該ＲＩＳＣ２０１により制御される各制御要素としての、光源となる蛍光灯３と、該蛍光灯３を点灯し、光量制御するインバータ回路２０２と、フィルム画像を電気信号に変換するＣＣＤ９ａ、および、そのクランプ回路、ガンマ変換型ＡＤコンバータ等からなる画像処理回路ブロック２０３と、さらに、ＣＣＤ９ａ等を搭載する前記レンズＣＣＤ保持部材７をステップ駆動するステッピングモータ１８と、ステッピングモータドライバ２０４と、ロック機構２６の駆動用プランジャ３０と、フィルム画像入力装置の固有情報を記憶するＥＥＰＲＯＭ２０５と、パワースイッチ（Ｐ０ＷＥＲ  ＳＷ）２１と、イジェクト  スイッチ（ＥＪＥＣＴ  ＳＷ）２２と、警告手段であって、ＬＣＤによる表示、あるいは、ＰＣＶによる発音等によりフィルムが引き出されていることを警告する警告表示部２０６と、ＰＣ用コネクタ２３等で構成されている。
【００５２】
なお、上記ＰＣ用コネクタ２３は、データ通信用コネクタであり、ＰＣ（パーソナルコンピュータ）へ通信専用ＩＣを介さずに接続されている。そして、ＰＣとのデータ通信は、ＲＩＳＣ２０１の通信ソフトウェアにより行うようになっている。
【００５３】
また、制御用のコンピュータとして上述のように縮小命令セット系コンピュータであるＲＩＳＣ２０１を利用する理由について説明すると、本装置の制御処理においては、ＣＣＤ９ａの読み出しシーケンス、画像処理回路２０３の制御シーケンス、ステッピングモータ駆動シーケンスならびにＰＣとのデータ通信シーケンス等個々のシーケンスそのものが非常に高速性を要する処理シーケンスであること、また、複数のシーケンスが時間的に重なっていることから、ますます、高速処理が要求される。
【００５４】
そこで、従来の画像入力装置では処理および制御マイコンとしては用いられていたＣＩＳＣ（ＣＯＭＰＬＥＸ  ＩＮＳＴＲＵＣＴＩＯＮ  ＳＥＴ  ＣＯＭＰＵＴＥＲ）に対して、本形態の装置では、さらに処理を高速化するためにＲＩＳＣ型を適用し、単一コントローラ化を達成している。
上記ＣＩＳＣでは１命令の実行に４クロックの時間がかかるが、上記ＲＩＳＣでは１クロックで処理できるため、ＣＩＳＣの４倍の高速処理が可能となる。このことから、各信号制御処理の待ち時間の間で、仮にＣＩＳＣが３０ステップの信号演算処理が可能であるとすると、ＲＩＳＣであれば、１２０ステップの信号演算処理が可能となり、より高度で複雑な信号演算や、制御処理を行うことが可能となり、Ｓ／Ｎ比を向上させている。また、より多くの複雑なシーケンス制御をソフトウェアにてマルチタスク的に実行可能となっている。
【００５５】
一方、カートリッジフィルム保持装置１０２側の電気回路の構成について説明すると、上記電気回路としては、磁気再生回路ブロック２１１，ＥＥＰＲＯＭ２１２，ＰＩ／ＰＲ検出回路ブロック２１３，フィルム駆動用モータ５８とそのモータドライブ回路とからなるモータドライブブロック２１４，蓋ロック機構７９の駆動用プランジャ７０，リワインドスイッチ（ＲＷ  ＳＷ  ）８４，蓋スイッチ８５等が内蔵されている。
【００５６】
上記磁気再生回路ブロック２１１は、磁気ヘッド８３と、磁気ヘッド出力用増幅器、ＢＰＦ、ＢＰＦ出力用増幅器等からなっており、フィルムに記録された撮影情報を読み取る回路である。
上記ＥＥＰＲＯＭ２１２には、フィルムカートリッジ１１０の巻き戻し終了フラグとかフィルムの巻き上げ駒数、ピント調整値等のフィルム保持装置の固有情報が記憶されている。
【００５７】
上記ＰＩ／ＰＲ検出回路ブロック２１３は、フィルム走行量検出用ＰＩ８０を含むフィルム走行量検出回路と、フィルムパーフォレーション検出用ＰＲ８１を含むパフォレーション検出回路と、フィルムカートリッジ情報検出用ＰＲ８２を含むフィルムカートリッジ情報検出回路とから構成されている。
上記フィルム走行量検出回路の出力パルスは、フィルム走行量を示し、パフォレーション検出回路の出力パルスはフィルムのパフォレーション穴の位置検出に用いられ、フィルムカートリッジ情報検出回路の出力パルスは、フィルムディスクに記録されたフィルムカートリッジの情報コードを示す。
【００５８】
上記磁気再生回路ブロック２１１の再生出力端子、ＰＩ／ＰＲ検出回路ブロック２１３の信号出力端子、および、上記ＰＩ／ＰＲ用ＬＥＤ点灯制御端子、ＥＥＰＲＯＭ２１２のデータ通信端子、フィルム駆動用モータドライブブロック２１４の制御端子、スイッチ出力端子、電源／ＧＮＤ入力端子は、雄コネクタ８８のそれぞれの端子の接点群を通じてフィルム画像入力装置１０１の雌コネクタ２８内の後述する端子２８ａ〜２８ｓの接点を介してＲＩＳＣ２０１に接続されている。
【００５９】
なお、ＰＩ／ＰＲ検出ブロック２１３の出力は、ノイズに弱いので、バッファを介して出力している。該バッファには、インバーター、オペアンプ、コンパレータ等が使用できる。
【００６０】
上記コネクタ２８の各端子２８ａ〜２８ｓへの接続信号の情報内容は、つぎの通りである。すなわち、
端子２８ａ、２８ｂは、装着されたフィルム保持装置の種類判別用の２ビット信号ラインであって、Ｈ（ハイレベル）／Ｌ（ローレベル）のとき、カートリッジフィルム保持装置１０２、また、Ｌ／Ｈ  のとき、３５ｍｍフィルム保持装置１０６、また、Ｌ／Ｌのとき、装着保持装置なしを示す。
端子２８ｃは、電源（Ｖｃｃ）ラインである。
端子２８ｄは、ＧＮＤラインである。
端子２８ｅ，２８ｆは、フィルム駆動モータ制御用２ビット信号ラインであり、Ｈ／Ｌのときモータ正転を、Ｌ／Ｈのときモータ逆転を、Ｈ／Ｈのときモータブレーキを、Ｌ／Ｌのときモータオフをそれぞれ指示する信号ラインである。
端子２８ｇは、ＰＲ／ＰＩのＬＥＤ用電源ラインである。
端子２８ｈは、フィルムディスク検出用ＰＲ出力ラインである。
端子２８ｉは、パーフォレーション検出用ＰＲ出力ラインである。
端子２８ｊは、フィルム走行量検出用ＰＩ出力ラインである。
端子２８ｋは、磁気再生回路出力ラインである。
端子２８ｍは、ＥＥＰＲＯＭ用クロックラインである。
端子２８ｎは、ＥＥＰＲＯＭ用データ入力ラインである。
端子２８ｐは、ＥＥＰＲＯＭ用データ出力ラインである。
端子２８ｑは、リワインドスイッチ出力ラインである。
端子２８ｒは、蓋ロック機構用プランジャ駆動電流ラインである。
端子２８ｓは、蓋スイッチ出力ラインである。
【００６１】
上述のようにコネクタ２８，８８を介してフィルム保持装置１０２は、フィルム画像入力装置１０１内部の制御手段であるＲＩＳＣ２０１に接続されており、フィルム保持装置１０２、および、フィルム画像入力装置１０１の各制御ブロックは、そのコントロールのもとに、一元的に管理される。
【００６２】
このように構成することで、フィルム保持装置の部品点数の削減がはかられ、それにともなう実装面積の削減とそれに伴う製造コストの削減、コンパクト化の促進、また、各タイミング管理の一元化に伴うソフトウェアの簡便化による信頼性の向上も図られる。
【００６３】
次に、本形態のスキャナ装置におけるオートロード処理，リワインド処理，イジェクト処理等について、図９，１０，１１のフローチャートに基づいて説明する。
図９（Ａ）は、画像入力装置１０１に装着された状態のカートリッジフィルム保持装置１０２にフィルムカートリッジ１１０が装填された場合の「オートロード処理」のフローチャートである。
フィルムカートリッジ１１０が装填され、カートリッジ蓋５２（図５）が閉じられると、蓋スイッチ８５がオンし、図８のＲＩＳＣ２０１は、そのオフからオンの変化を検知し、図９（Ａ）に示すオートロード処理を開始する。
【００６４】
まず、ステップＳ１０１において、サブルーチンの「フィルム保持装置ロック処理（１）」をコールする。このフィルム保持装置ロック処理（１）は、後述する図９（Ｂ）にフローチャートを示すが、フィルム保持装置１０２の取り外しを規制するためにロック機構２６によりロックピン２４（図２，３）をロック状態、すなわち、後退不可にする処理である。
なお、このようにフィルム保持装置１０２をロック状態にすることにより、フィルムが引き出されているとき、フィルム保持装置１０２が画像入力装置１０１から、不用意に取り外されて、電気制御が不能状態となり、フィルムカートリッジ１１０の不完全給送状態で停止してしまうことを防止する。
【００６５】
続いて、ステップＳ１０２にて、後述する図９（Ｃ）に示すサブルーチンの「カートリッジ蓋ロック処理」をコールする。この処理は、カートリッジ蓋５２を開放できないようにロック状態とする処理である。なお、このようにカートリッジ蓋５２をロック状態にすることにより、フィルム引き出し中にカートリッジ１１０を取り出して、フィルム１１１を汚したり、傷付けたりすることを防止される。
その後、ステップＳ１０３にて、サブルーチンの「オートロード実行処理」をコールし、フィルムの送り出しを開始する。その後、処理はメインルーチンに戻される。
【００６６】
図９（Ｂ）は、上記ステップＳ１０１でコールされるサブルーチンの「フィルム保持装置ロック処理（１）」のフローチャートである。
ステップＳ２０１にて、図３のロック機構２６を駆動するプランジャ３０のコイル３１の端子Ａから端子Ａ（バー）に通電する。これにより、鉄心３２は第１バネ３３の付勢力の打ち勝って、上方に移動し、磁石３４に吸着されて安定する。ステップＳ２０２にて、鉄心が磁石に吸着して安定するまでの待ち時間１００ｍｓｅｃだけ待つ。この状態でロック機構２６は、ロック状態になっており、フィルム保持装置は取り外し不可となる。
ステップＳ２０３にて、プランジャコイルの通電をオフにし、本サブルーチンの処理を終了する。
【００６７】
図９（Ｃ）は、上記ステップＳ１０２でコールされるサブルーチンの「カートリッジ蓋ロック処理」のフローチャートである。
ステップＳ３０１にて、図６のプランジャ７０のコイル７１の端子Ｂ側から端子Ｂ（バー）側に通電する。これにより、プランジャ７０の鉄心７２はバネ７３の付勢力に打ち勝って移動し、磁石７４に吸着されて安定する。ステップＳ３０２にて、  鉄心が磁石に吸着し、安定するまでの時間１００ｍｓｅｃ待つ。このロック状態では蓋開放ツマミ５７はＦ方向の移動が規制され、カートリッジ蓋５２の開放が不可能になる。
ステップＳ３０３にて、プランジャコイル７１の通電をオフし、本サブルーチンの処理を終了する。
【００６８】
次に、リワインド処理について、図１０（Ａ）のルーチン「リワインド（１）処理」のフローチャートにより説明する。
このリワインド（１）処理は、フィルム保持装置１０２が画像入力装置１０１に装着されており、画像取り込み終了時などフィルムが引き出されているような状態のとき、リワインドスイッチ８４の操作ボタン（図５）が押されると、ＲＩＳＣ２０１がそのオフからオンへの変化を検知して開始される処理である。
【００６９】
まず、ステップＳ４０１にて、サブルーチンのフィルム巻き戻し処理をコールし、フィルム１１１をカートリッジ１１０内に巻き戻す。ステップＳ４０２にて、図１０（Ｃ）に示すサブルーチンのカートリッジ蓋ロック解除処理をコールする。さらに、ステップＳ４０３にて、図１０（Ｂ）に示すサブルーチンのフィルム保持装置ロック解除処理をコールして、該処理を実行後、本ルーチンを終了し、メインルーチンへ戻る。
【００７０】
図１０（Ｂ）は、上記ステップＳ４０３でコールされるサブルーチンの「フィルム保持装置ロック解除処理（１）」のフローチャートである。
ステップＳ５０１にて、図３のプランジャ３０のコイル３１の端子Ａ（バー）から端子Ａに通電する。これにより、プランジャ３０の鉄心３２は磁石３４の吸着力に打ち勝って、第１バネ３３の付勢力に沿って移動し、ロック状態が解除される。ステップＳ５０２にて、鉄心３２が磁石３４から完全に離れるまで、待ち時間１００ｍｓｅｃ待つ。このロック解除状態では、ロックピン２４の後退が可能で、フィルム保持装置の取り外しが可能である。
ステップＳ５０３にて、プランジャ３０のコイル３１の通電をオフし、本サブルーチンの処理を終了する。
【００７１】
前記ステップＳ４０２でコールされるサブルーチンの「カートリッジ蓋ロック解除処理」について、図１０（Ｃ）のフローチャートにより説明する。
ステップＳ６０１にて、図６のプランジャ７０のコイル７１の端子Ｂ（バー）から端子Ｂに通電する。これにより、プランジャ７０の鉄心７２は磁石７４の吸着力に打ち勝ってバネ７３の付勢力に沿ってロック解除位置に移動する。ステップＳ６０２にて、鉄心７２が磁石７４から完全に離れるまでの待ち時間１００ｍｓｅｃ待つ。このロック解除状態では、蓋開放ツマミ５７のＦ方向の移動は可能となっており、カートリッジ蓋５２は開放可能である。
ステップＳ６０３にて、プランジャ通電をオフして、本サブルーチンの処理を終了する。
【００７２】
次に、フィルム保持装置のイジェクト処理について、図１１のルーチン「イジェクト処理」のフローチャートによって説明する。
このイジェクト処理は、フィルム保持装置１０２が画像入力装置１０１に装着されており、フィルムが引き出されたような状態のとき、フィルム保持装置１０２を画像入力装置１０１から取り外す必要が生じた場合、イジェクトスイッチ２２の操作ボタン（図２，図８）を押すことにより、ＲＩＳＣ２０１が該スイッチのオフからオンへの変化を検知し、フィルムの引き出し状態をチェックして、画像入力装置１０１からフィルム保持装置１０２を取り外すことができるようにする処理である。そのとき、フィルム１１１がカートリッジ１１０から引き出されている場合には、警告を発するようにして、使用者はフィルムが引き出し状態にあることを明確に認識した上で、フィルム保持装置を強制的に取り外すことができ、不用意なフィルム保持装置の取り外しを防止しつつ、フィルムの表面についたごみを掃除することも可能とすることができる。
【００７３】
イジェクトスイッチ２２のオン操作が検出されたとき、本処理が開始され、ステップＳ７０１にて、ＲＩＳＣ２０１はフィルム１１１が引き出されているか否かを検出し、引き出されていればステップＳ７０２へジャンプし、引き出されていなければ、ステップＳ７０３へジャンプする。
なお、フィルムが引き出されているか否かの判断は、リワインド完了フラグ、もしくは、フィルム引き出し状態フラグなどの状態フラグを参照するか、フィルム送りコマ数から判断する等が考えられ、いづれの方法でも良い。
【００７４】
上記ステップＳ７０２にて、フィルム引き出し状態警告処理ルーチンをコールする。該警告処理は、警告表示部２０６において、ＰＣＶにより警告音を発したり、ＬＥＤ点灯により警告表示したり、あるいは、ＬＣＤ表示にて警告マーク表示、警告メッセージ表示等を行う処理である。または、ＰＣ（パーソナルコンピュータ）のモニタにて警告マーク表示、警告メッセージ表示をする等各種の処理も考えられるが、そのいづれによってもフィルム引き出し状態であることの注意を使用者に喚起できればよい。
【００７５】
ステップＳ７０３にて、フィルム保持装置ロック解除処理ルーチンをコールする。この処理は、前記図１０（Ｂ）のフローチャートに示される。その後、本ルーチンからメインルーチンへ処理が戻される。
【００７６】
次に、前述したフィルム保持装置取り外し規制用のロックピン２４のロック機構の変形例であって、前記図４に示したロック機構４１を適用した場合のサブルーチンの「フィルム保持装置ロック処理（２）」と「フィルム保持装置ロック解除処理（２）」について、図１２のフローチャートにより説明する。
【００７７】
図１２（Ａ）は、前記図４に示した変形例のロック機構４１を適用したスキャナ装置において、前記図９（Ａ）のオートロード処理でコールされるサブルーチンのうち、ステップＳ１０１に対するサブルーチンであって、「フィルム保持装置ロック処理（２）」のフローチャートである。
ステップＳ８０１にて、図４のモータ４２を逆転させる。これにより、ラック４４が位置Ｐａに移動し、ロックピン２４の後退を規制するロック状態とする。ステップＳ８０２にて、ラックがロック位置である位置Ｐａまで駆動されるに十分な待ち時間１００ｍｓｅｃ待つ。ステップＳ８０３にて、モータ通電をオフし、本サブルーチンの処理を終了する。
【００７８】
図１２（Ｂ）は、同じく上記変形例のロック機構４１を適用したスキャナ装置において、前記図１０（Ａ）の「リワインド（１）処理」のステップＳ４０３でコールされるサブルーチンであって、フィルム保持装置ロック解除処理（２）のフローチャートである。
ステップＳ９０１にて、図４のモータ４２を正転する。これにより、ラック４４が位置Ｐｂに移動し、ロックピン２４の後退を許可するロック解除状態となる。ステップＳ９０２にて、ラック４４がロック解除位置の位置Ｐｂに駆動されるに十分な待ち時間１００ｍｓｅｃ待つ。
ステップＳ９０３にて、モータ通電をオフし、本サブルーチンの処理を終了する。
【００７９】
上述の本形態のスキャナ装置では、オートロード処理において、カートリッジからのフィルムの引き出す動作のローディング動作は、フィルム保持装置１０２のロック処理、あるいは、カートリッジ蓋５２のロック処理が完全に完了した後に実行したが、それらの動作が完全に完了する前の直前状態であっても、フィルム１１１への損傷やカートリッジの取り出しに支障がない範囲で実施するようにしてもよい。
【００８０】
同様に、リワインド処理において、カートリッジ１１０にフィルム１１１を巻き戻す動作が完了してから、フィルム保持装置のロック解除処理あるいはカートリッジ蓋のロック解除処理が実施されたが、巻き戻し動作が完全に完了する前の直前の状態であっても、フィルム１１１への損傷やカートリッジ１１０の取り出しに支障がない範囲で実施できる。
【００８１】
以上、説明したように本形態のスキャナ装置によれば、次のような効果が得られる。すなわち、
（１）フィルム１１１が走行しているとき、あるいは、フィルム１１１がカートリッジ１１０から引き出されている状態のときは、フィルム保持装置１０２をロック機構２６、または、４１により画像入力装置１０１から取り外せないように規制することによって、不用意にフィルム保持装置を取り外して電源が寸断されることを防止でき、正常なフィルム駆動を保証でき、そして、フィルム１１１を完全に保護することができ、汚れおよび傷を付けることを防止できる。
【００８２】
（２）フィルム１１１が走行しているとき、あるいは、フィルム１１１がカートリッジ１１０から引き出されている状態のときは、カートリッジ蓋５２を蓋ロック機構７９により開放を規制して、カートリッジ１１０を取り出せないするように構成することによって、フィルム１１１の不用意な取り出しを禁止し、フィルム１１１を保護し、汚れおよび傷を付けることを防止できる。
【００８３】
（３）フィルム１１１がカートリッジ１１０から引き出されている状態で、フィルム保持装置１０２，１０６を画像入力装置からイジェクトしようとするとき、そのイジェクト指示操作に応答してフィルムが引き出されていることを警告することによって、使用者に注意を喚起し、フィルム１１１を汚したり、傷を付けることを未然に防止できる。
【００８４】
次に、本形態のスキャナ装置におけるリワインド処理の変形例について説明する。この変形例のリワインド処理は、リワインドスイッチ８４を操作して、フィルムを巻き戻した後、カートリッジの取り出しを確認してからフィルム保持装置のロックを解除する処理であり、図１３は、本変形例の「リワインド（２）処理」のフローチャートである。
【００８５】
ステップＳ１００１にて、フィルムの巻き戻しを行う。ステップＳ１００２にて、前記図１０（Ｃ）に示すサブルーチンのカートリッジ蓋ロック解除処理をコールする。ステップＳ１００３にて、カートリッジ１１０が取り出されたか否かチェックする。これは、図５に示すフィルムカートリッジ情報検出用ＰＲ８２によってフィルムディスクの検出を行うことによって、カートリッジ１１０が取り出されたか否かを判断し、該カートリッジ１１０が取り出されるまで待つ。
カートリッジ１１０が取り出された後、ステップＳ１００４にて、前記図１０（Ｂ）に示すサブルーチンのフィルム保持装置ロック解除処理をコールする。その後、本ルーチンからメインルーチンに戻る。
【００８６】
この変形例のサブルーチンのリワインド処理を適用したスキャナ装置によれば、フィルム１１１の巻き戻しを行って、カートリッジ蓋５２のロックを解除する。そこで、カートリッジ１１０がフィルム保持装置１０２から引き抜かれたことを確認してから、フィルム保持装置１０２が画像入力装置１０１から取り外し可能の状態になるように処理されることから、リワインド後、カートリッジ１１０の装填状態では、フィルム保持装置１０２は、画像入力装置１０１から取り外すことができず、フィルム駆動の必要がない状態になってからフィルム保持装置１０２が取り外されるので、フィルムカートリッジ１１０，フィルム１１１ともに完全に保護される。
【００８７】
（付記）
以上、説明した実施の形態により、次に示す構成を有するスキャナ装置を提案することができる。すなわち、
（１）カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、
前記画像入力装置からの前記フィルム保持装置の取り外しを指示する手段と、
前記フィルムを給送するフィルム駆動手段と、
前記画像入力装置からの前記フィルム保持装置の取り外しを禁止する規制手段と、
を具備し、前記取り外し指示手段からの指令に基づいて、前記フィルム駆動手段が前記フィルムの巻き戻しを行い、この巻き戻しが完了する直前または直後に前記規制手段を解除することを特徴とするスキャナ装置。
【００８８】
（２）前記規制手段は、前記フィルム保持装置と画像入力装置とを連結する係合部材と、この係合部材の動作を規制する規制部材と、この規制部材を駆動する駆動手段であることを特徴とする付記（１）に記載のスキャナ装置。
【００８９】
（３）カートリッジに収納された現像済みフィルムから画像を読み取るフィルム画像入力装置と、前記フィルム画像入力装置と着脱自在に結合し、前記カートリッジを保持するフィルム保持装置とからなるスキャナ装置において、
前記フィルム保持装置からの前記カートリッジの取り外しを指示する手段と、
前記フィルムを給送するフィルム駆動手段と、
前記フィルム保持装置からの前記カートリッジの取り外しを禁止する規制手段と、
を具備し、前記取り外し指示手段からの指令に基づいて、前記フィルム駆動手段が前記フィルムの巻き戻しを行い、この巻き戻しが完了する直前または直後に前記規制手段を解除することを特徴とするスキャナ装置。
【００９０】
（４）前記規制手段は、前記フィルム保持装置のカートリッジ蓋の係止部材と、この係止部材の動作を規制する規制部材と、この規制部材を駆動する駆動手段であることを特徴とする付記（３）に記載のスキャナ装置。
【００９１】
（５）前記規制部材の駆動手段は、プランジャまたはモータであることを特徴とする付記（２）または（４）に記載のスキャナ装置。
【００９２】
【発明の効果】
以上、説明したように本発明の請求項１に記載のスキャナ装置によれば、フィルムのカートリッジからの引き出し動作開始の直前または直後に、フィルム保持装置を画像入力装置から取り外し禁止とすることによって、不用意にフィルム保持装置を取り外して電源が寸断されるのを防止でき、正常なフィルム駆動を保証できる。そして、フィルムを保護し、汚したり、傷付けたりすることを防止する。
【００９３】
本発明の請求項２に記載のスキャナ装置によれば、フィルムのカートリッジへの収納動作完了の直前または直後に、フィルム保持装置を画像入力装置から取り外し可能とすることによって、不用意にフィルム保持装置を取り外し、電源が寸断されるのを防止でき、正常なフィルム駆動を保証できる。そして、フィルムを保護し、汚したり、傷付けたりすることを防止する。
【００９４】
本発明の請求項３に記載のスキャナ装置によれば、上記請求項１、または、２のスキャナ装置において、フィルム保持装置を前記フィルム画像入力装置から取り外す外部指示がされた場合に、前記フィルムが前記カートリッジから引き出されていることを警告するようにして、使用者が不用意にフィルムが引き出されたカートリッジを引き抜くことを防止し、その結果、フィルムにごみを付けたり、傷を付けたりすることを防止する。
【００９５】
本発明の請求項４に記載のスキャナ装置によれば、フィルムのカートリッジからの引き出し動作開始の直前または直後に、カートリッジをフィルム保持装置から取り外し禁止とするによって、フィルムが引き出された状態で露出することを防止することができ、その結果、フィルムを保護し、汚したり、傷付けたりすることを防止する。
【００９６】
本発明の請求項５に記載のスキャナ装置によれば、フィルムのカートリッジへの収納動作完了の直前または直後に、前記カートリッジをフィルム保持装置から取り外し可能とすることによって、フィルムが引き出された状態で露出することを防止することができ、その結果、フィルムを保護し、汚したり、傷付けたりすることを防止する。
【００９７】
本発明の請求項６に記載のスキャナ装置によれば、カートリッジのフィルム保持装置からの取り出し動作の直前または直後に、前記フィルム保持装置を前記画像入力装置から取り外し可能とすることによって、カートリッジ取り外し前にフィルム保持装置を取り外し、電源が寸断されるのを防止でき、その結果、フィルムを保護し、汚したり、傷付けたりすることを防止する。
【図面の簡単な説明】
【図１】本発明の１つの実施の形態を示すスキャナ装置の概略の構成を示すブロック構成図。
【図２】図１のスキャナ装置を構成するフィルム画像入力装置の斜視図。
【図３】図２のフィルム画像入力装置に適用されるロック機構の構造を示す斜視図。
【図４】図３に示すロック機構の変形例の構造を示す斜視図。
【図５】図１のスキャナ装置を構成し、図２のフィルム画像入力装置に装着可能なカートリッジフィルム保持装置の斜視図。
【図６】図５のカートリッジフィルム保持装置に内蔵されるカートリッジ蓋ロック機構の構造を示す斜視図。
【図７】図１のスキャナ装置を構成し、図２のフィルム画像入力装置に装着可能な３５ｍｍフィルム保持装置とスライドフィルムキャリアとストリップフィルムキャリアの斜視図。
【図８】図１のスキャナ装置を構成するフィルム画像入力装置とカートリッジフィルム保持装置の電気回路のブロック構成図。
【図９】図１のスキャナ装置におけるフィルムオートロード処理と該処理でコールされるサブルーチンのフローチャートであって、（Ａ）は「オートロード処理」のフローチャート、（Ｂ）は「フィルム保持装置ロック処理（１）」のフローチャート、（Ｃ）は「カートリッジ蓋ロック処理」のフローチャート。
【図１０】図１のスキャナ装置におけるリワインド処理と該処理でコールされるサブルーチンのフローチャートであって、（Ａ）は「リワインド処理」のフローチャート、（Ｂ）は「フィルム保持装置ロック解除処理（１）」のフローチャート、（Ｃ）は「カートリッジ蓋ロック解除処理」のフローチャート。
【図１１】図１のスキャナ装置における「フィルム保持装置イジェクト処理」のフローチャート。
【図１２】図１のスキャナ装置におけるロック機構の変形例の機構を適用したときのサブルーチンのフローチャートであって、（Ａ）は「フィルム保持装置ロック処理（２）」のフローチャート、（Ｂ）は「フィルム保持装置ロック解除処理（２）」のフローチャート。
【図１３】図１のスキャナ装置におけるリワインド処理に対する変形例の「リワインド（２）処理」のフローチャート。
【符号の説明】
１０１……フィルム画像入力装置
１０２……カートリッジフィルム保持装置
（フィルム保持装置）
１１０……カートリッジ
１１１……フィルム
２０６……警告表示部（警告手段）
【図１】
0003557294.tif 000002
【図２】
0003557294.tif 000003
【図３】
0003557294.tif 000004
【図４】
0003557294.tif 000005
【図５】
0003557294.tif 000006
【図６】
0003557294.tif 000007
【図７】
0003557294.tif 000008
【図８】
0003557294.tif 000009
【図９】
0003557294.tif 000010
【図１０】
0003557294.tif 000011
【図１１】
0003557294.tif 000012
【図１２】
0003557294.tif 000013
【図１３】
0003557294.tif 000014